(57)【要約】【課題】  板紙に簡易な加工を施すだけで物品を容易に位置決め可能として、梱包材の内部で物品が大きく移動して汚損したり、過度に位置ずれが生じることを回避できる収納板を提供する。【解決手段】  ダンボール板１８からなり、物品１２，１３を梱包する際に用いる物品位置決め用の収納板１０であって、切込み線２０ａ，２０ｂを形成することにより基端部２１ａ，２１ｂを除いてダンボール板１８から分離可能に設けられた、帯状部２２ａ，２２ｂと帯状部２２ａ，２２ｂの基端部２１ａ，２１ｂとは反対側の端部に配設された幅広係止部２３ａ，２３ｂを有する位置決め保持片２５，２６を備える。位置決め保持片２５，２６を分離し、物品１２，１３を帯状部２２ａ，２２ｂにより巻き込んで幅広係止部２３ａ，２３ｂを帯状部２２ａ，２２ｂの抜き開口２７，２８に係止することにより、物品１２，１３を位置決め配置する。【選択図】      図５
2006137438.tif 000002
【特許請求の範囲】
【請求項１】
板紙からなり、物品を梱包する際に用いる物品位置決め用の収納板であって、切込み線又は切込み案内線を形成することにより基端部を除いて前記板紙から分離可能に設けられた、帯状部と該帯状部の前記基端部とは反対側の端部領域に配設された幅広係止部を有する位置決め保持片を備え、前記幅広係止部は前記板紙から分離した後に形成される前記帯状部の抜き開口に係止可能な収納板。
【請求項２】
前記基端部における前記切込み線又は切込み案内線の端部は、前記帯状部の外側にＵ字形状に曲折して延設している請求項１記載の収納板。
【請求項３】
請求項１又は２に記載の収納板に物品を取り付けて用いる収納体であって、前記位置決め保持片を前記切込み線又は切込み案内線に沿って分離し、前記物品を前記帯状部により巻き込んで前記幅広係止部を前記帯状部の抜き開口に係止することにより、前記物品を位置決め配置した収納体。
【請求項４】
前記物品が、袋に粉状体、粒状体等の流動物を収容した袋詰め物品である請求項３記載の収納体。
【請求項５】
ダンボール箱の中敷きとして用いられる請求項３又は４に記載の収納体。
【発明の詳細な説明】
【技術分野】
【０００１】
本発明は、収納板及び収納体に関し、特に物品を梱包する際に用いる物品位置決め用の収納板、及び該収納板に物品を取り付けてなる収納体に関する。
【背景技術】
【０００２】
例えばダンボール箱等の梱包材に商品等の各種の物品を収容して梱包する場合、梱包した物品が流通過程において外部からの衝撃等により内部で移動することによって、汚損したり、重心が変化して梱包材ごと移動するといった問題を生じることがあるため、梱包材の内部で収容した物品が移動しないようにする工夫がなされている。
【０００３】
ダンボール箱等の梱包材に収容された物品が移動しないようにする手段としては、例えば物品の一部の形状に沿った形状部分を備える発泡スチロール製の押さえ部材や、中敷き等を用いる方法が採用される他、ダンボール等の板紙に折曲げ加工や切断加工を施して立体形状に形成し、押さえ部材や、中敷き部材等として用いる方法が採用されている（例えば、特許文献１参照）。
【特許文献１】特開２００２−２７４５２７号公報
【発明の開示】
【発明が解決しようとする課題】
【０００４】
しかしながら、発泡スチロール等からなる部材では資源環境問題に対する配慮に欠ける。その一方で、上記従来のダンボール等の板紙を用いた押さえ部材や中敷き部材によれば、その加工や組立が複雑であるため、より簡易な構成によって梱包材に収容される物品の位置決めを可能にする手段の開発が望まれている。また、板紙を立体形状に組み付けて形成した押さえ部材によれば、袋に粉状体や粒状体を収容した袋詰め物品等の、定形性に乏しく変形しやすい物品を梱包する際には、十分に位置決めすることは困難である。
【０００５】
本発明は、板紙に簡易な加工を施すだけで物品を容易に位置決めすることを可能にして、梱包材の内部で物品が大きく移動して汚損したり、過度に位置ずれが生じることを効果的に回避できると共に、袋詰め物品等の変形しやすい物品も容易に位置決めすることができる収納板及び該収納板を用いた収納体を提供することを目的とする。
【課題を解決するための手段】
【０００６】
本発明は、板紙からなり、物品を梱包する際に用いる物品位置決め用の収納板であって、切込み線又は切込み案内線を形成することにより基端部を除いて前記板紙から分離可能に設けられた、帯状部と該帯状部の前記基端部とは反対側の端部領域に配設された幅広係止部を有する位置決め保持片を備え、前記幅広係止部は前記板紙から分離した後に形成される前記帯状部の抜き開口に係止可能な収納板を提供することにより、上記目的を達成したものである。
【０００７】
また、本発明は、前記収納板に物品を取り付けて用いる収納体であって、前記位置決め保持片を前記切込み線又は切込み案内線に沿って分離し、前記物品を前記帯状部により巻き込んで前記幅広係止部を前記帯状部の抜き開口に係止することにより、前記物品を位置決め配置した収納体を提供することにより、上記目的を達成したものである。
【０００８】
ここで、本発明における板紙は、例えば水平に持ち上げた際に平坦な平板形状を保持できる程度の相当の保形剛性を備えると共に、例えば手の力で容易に折り曲げることのできる折り曲げ変形性を備える部材であって、例えばダンボール、厚紙、プラスチック板、合成樹脂をラミネートした厚紙等を用いることができる。
【０００９】
また、切込み線又は切込み案内線は、板紙の全厚さに亘って切断される切込み線の他、ミシン目、半切れ線等によって形成され、例えば当該切込み案内線に沿って板紙の一部を残して切断することにより、使用時に手の力で容易に切り離すことができるように加工した切込み案内線をも含むものである。
【発明の効果】
【００１０】
本発明の収納板又は該収納板を用いた収納体によれば、板紙に簡易な加工を施すだけで、例えば梱包材の内部、梱包材に収納された容器の内部、梱包材に収納された容器の間等において、物品を容易に位置決めすることを可能にして、梱包材の内部で物品が大きく移動して汚損したり、過度の位置ずれが生じるのを効果的に回避できると共に、袋詰め物品等の変形しやすい物品であっても容易に位置決めすることができる。
【発明を実施するための最良の形態】
【００１１】
本発明の好ましい一実施形態に係る収納板１０は、図１に示すように、例えばガーデニングセットの部品や使用材料等の構成物品を、梱包材であるダンボール箱１１に一体として収容して搬送する際に用いられ、例えばダンボール箱１１の内部にある粒状の肥料を収容した袋詰め物品１２やスコップ１３が、ダンボール箱１１の内部で大きく移動したり位置ずれしたりしないように簡易且つ安定した状態で位置決めしておくために用いられる。
【００１２】
すなわち、本実施形態によれば、ダンボール箱１１に梱包される商品であるガーデニングセットは、図２にも示すように、プランター１４、補助プランター１５、カバー１６、肥料（袋詰め物品）１２、スコップ１３、取扱説明書類１９等がセットとなったものであり、これらの構成物品をダンボール箱１１に一体として梱包する際に、ダンボール箱１１の大きさに比して小さな形状の袋詰め物品１２とスコップ１３とが、ダンボール箱１１の内部において自由に移動しないように効果的に位置決めしておくために、収納板１０が用いられる。
【００１３】
そして、本実施形態の収納板１０は、板紙であるダンボール板１８からなり、袋詰め物品１２やスコップ１３をガーデニングセットの他の構成物品と共に梱包する際に用いる物品位置決め用の部材であって、図３及び図４（ａ）〜（ｃ）に示すように、切込み線２０ａ，２０ｂを形成することにより基端部２１ａ，２１ｂを除いてダンボール板１８から分離可能に設けられた、帯状部２２ａ，２２ｂと該帯状部２２ａ，２２ｂの基端部２１ａ，２１ｂとは反対側の端部領域に配設され、帯状部２２ａ，２２ｂよりも横幅の広い部分である幅広係止部２３ａ，２３ｂとからなるＴ字形状部分２４ａ，２４ｂを含む位置決め保持片２５，２６を、１箇所以上（本実施形態では２箇所）備えている。
【００１４】
また、本実施形態によれば、上記収納板１０におけるＴ字形状部分２４ａ，２４ｂを含む各位置決め保持片２５，２６を、帯状部２２ａ，２２ｂの基端部２１ａ，２１ｂを残して切込み線２０ａ，２０ｂに沿って各々分離し、袋詰め物品１２やスコップ１３を帯状部２２ａ，２２ｂにより各々巻き込んで各幅広係止部２３ａ，２３ｂを帯状部２２ａ，２２ｂの抜き開口２７ａ，２７ｂに係止することにより、収納板１０の所定の位置に袋詰め物品１２やスコップ１３を各々位置決め配置して取り付けた、ダンボール箱１１の内部に収まり易い形態の収納体１７（図５（ａ），（ｂ）参照）が構成されることになる。
【００１５】
収納板１０を形成するためのダンボール板１８としては、一般に用いられる各種のダンボール板を用いることができ、これらのダンボール板は、取り扱い時に平板形状を保持できる程度の適度の保形剛性と、手の力で二つ折りに容易に折り曲げることのできる程度の適度の折り曲げ変形性を備えている。また収納板１０は、収容されるダンボール箱１１の底面の平面形状と略相似形の、縦４００〜４５０ｍｍ程度、横２５０〜３００ｍｍ程度の矩形形状を備えていると共に、後述するように、梱包時に裏返されて収容されるカバー１６の舟底部分に納まる大きさを有している。
【００１６】
基端部２１ａ，２１ｂを除いてダンボール板２８から分離可能に設けられた２箇所の位置決め保持片２５，２６は、袋詰め物品１２を保持する第１位置決め保持片２５と、スコップ１３を保持する第２位置決め保持片２６とからなる。各位置決め保持片２５，２６は、位置決めされる袋詰め物品１２及びスコップ１３の重量や、ダンボール箱１１に梱包されるガーデニングセットの全体の中におけるバランスの良い配設位置等を鑑みて、ダンボール板１８の予め設定された所定の箇所に、例えばカッター等の切断用具を使用し、基端部２１ａ，２１ｂを除いて横長のＴ字形状に切込み線２０ａ，２０ｂを形成することによって、その全体がＴ字形状部分２４ａ，２４ｂを構成するように各々設けられる。
【００１７】
ここで、袋詰め物品１２を保持する第１位置決め保持片２５は、図３に示す収納板１０の上半部分に、上辺に沿って形成される。第１位置決め保持片２５は、幅５０〜８０ｍｍ程度の帯状部２２ａと、これの先端部において両側に張り出すように拡幅した部分である幅広係止部２３ａとからなり、切込み線２０ａに沿ってダンボール板１８と分離されて、基端部２１ａからベルト状に延設することになる（図４（ａ）参照）。また収納板１０の第１位置決め保持片２５が切り離された部分には、帯状部分２２ａと幅広係止部２３ａの形状に沿った、Ｔ字形状の第１抜き開口２７ａ（図４（ａ）参照）が開口形成されることになる。
【００１８】
スコップ１３を保持する第２位置決め保持片２６は、図３に示す収納板１０の左側部に、第１位置決め保持片２５と平行に配置されて形成される。第２位置決め保持片２６は、幅２０〜４０ｍｍ程度の帯状部２２ｂと、これの先端部において両側に張り出すように拡幅した部分である幅広係止部２３ｂとからなり、切込み線２０ｂに沿ってダンボール板１８と分離されて、基端部２１ｂからベルト状に延設することになる。また収納板１０の第２位置決め保持片２６が切り離された部分には、帯状部分２２ｂと幅広係止部２３ｂの形状に沿った、Ｔ字形状の第２抜き開口２７ｂ（図４（ｃ）参照）が開口形成されることになる。
【００１９】
そして、図４（ａ）〜（ｃ）に示すように、袋詰め物品１２は、第１位置決め保持片２５を切込み線２０ａに沿って分離して開いた状態で、第１抜き開口２７ａと交差するようにして配置された後（図４（ａ）参照）、第１位置決め保持片２５によって巻き込まれるようにしつつ、幅広係止部２３ａを第１抜き開口２７ａの幅広係止部を介して当該第１抜き開口２７ａに差し込み、差し込んだ幅広係止部２３ａを、当該第１抜き開口２７ａの帯状部にスライド移動して所望の締め付け力が得られる適宜の位置に係止することにより、収納板１０の右側部分に安定した状態で位置決めされることになる（図４（ｂ）参照）。ここで、袋詰め物品１２は、流動物である粒状の肥料（粒状体）を袋に収容したものであり、定形性に乏しく変形しやすい物品であるが、袋詰め物品１２の変形に追随して第１位置決め保持片２５の幅広係止部２３ａが、第１抜き開口２７ａの帯状部に沿って係止位置を適宜スライド移動することにより、適度な締付け力を保持して袋詰め物品１２を効果的に位置決めすることが可能になる。
【００２０】
また、同様にして、第２位置決め保持片２６を切込み線２０ｂに沿って分離して開いた状態で、第２抜き開口２７ｂと交差するようにしてスコップ１３の柄部１３ａを配置した後、第２位置決め保持片２６によってスコップ１３の柄部１３ａを巻き込むようにしつつ、幅広係止部２３ｂを第２抜き開口２７ｂの幅広係止部を介して当該第２抜き開口２７ｂに差し込むと共に、差し込んだ幅広係止部２３ｂを、当該第２抜き開口２７ｂの帯状部にスライド移動して所望の締め付け力が得られる適宜の位置に係止することにより、スコップ１３が収納板１０の左側部分に安定した状態で位置決めされることになる（図４（ｃ）参照）。これらによって、図５（ａ），（ｂ）に示すような、収納板１０に袋詰め物品１２及びスコップ１３を所望の位置に取り付けた本実施形態の収納体１７が得られることになる。
【００２１】
収納板１０に袋詰め物品１２及びスコップ１３を取り付けてなる収納体１７を、ガーデニングセットの他の構成物品と共にダンボール箱１１に梱包するには、図２に示すように、ダンボール箱１１の上面を開放して、合成樹脂からなる扁平な略六面体形状のプランター１４を開口面を上にして収容すると共に、これの上方に重ねるようにして合成樹脂からなる扁平な略六面体形状の補助プランター１５を同じく開口面を上にして収容する。また、合成樹脂からなる上面が湾曲面となった扁平なカバー１６を、上下に裏返して開口面を上にした状態で、補助プランター１５の上方に重ねて収容する。さらに、カバー１６の内側に取扱説明書類１９を収容すると共に、裏返されたカバー１６の舟底部分に、収納板１０の角部の周縁をカバー１６の内壁面に沿わせるようにしつつ配置して、収納体２９をカバー１６の内側に位置ずれしないように納めて収容する。しかる後に、開放されたダンボール箱１１の上面を閉塞することにより、ガーデニングセットの構成物品をダンボール箱１１に一体として梱包する作業が終了し、ガーデニングセットを梱包したダンボール箱１１が、例えば流通過程に供されることになる。
【００２２】
そして、本実施形態によれば、ダンボール板１８に簡易な加工を施しただけの収納板１０を用いて、袋詰め物品１２やスコップ１３を容易に位置決めすることを可能にして、ダンボール箱１１の内部で袋詰め物品１２やスコップ１３が大きく移動して汚損したり、過度の位置ずれが生じるのを効果的に回避することができる。すなわち、本実施形態によれば、収納板１０は、ダンボール板１８の所望の位置にＴ字形状の切込み線２０ａ，２０ｂを入れるだけの加工で簡易且つ容易に得られると共に、ベルト状の位置決め保持片２５，２６によって袋詰め物品１２やスコップ１３を巻き込みつつ幅広係止部２３ａ，２３ｂを抜き開口２７ａ，２７ｂに係止することによって、収納板１０の所望の位置に袋詰め物品１２やスコップ１３を容易に位置決めすることができる。さらに、このようにして得られた収納体１７を、ダンボール箱１１の内部での移動が制限されるように配置することにより、袋詰め物品１２やスコップ１３を、所望の配設位置に安定して保持することが可能になる。
【００２３】
また、本実施形態の収納板１０に袋詰め物品１２やスコップ１３を配置した収納体１７は、ダンボール箱１８の内部における中敷きとしても用いることができ、またダンボール箱１１から梱包したガーデニングセットを取り出す際には、袋詰め物品１２やスコップ１３は、収納板１０ごと一体として容易に取り出すことが可能になる。さらに、収納板１０はダンボール板１８によって形成されていることから、折り畳んだり潰したりする手間が少なく、使用後の廃棄も容易である。
【００２４】
さらにまた、本実施形態によれば、重量物である袋詰め物品１２は大きな位置ずれを生じることなくその位置が効果的に制御されるので、ダンボール箱１１に梱包されるガーデニングセットの全体の中におけるバランスの良い配設位置として予め設定された位置から、例えばボール状の湾曲面を下方に向けて梱包されることにより不安定になりやすいカバー１６を、当該位置制御された袋詰め物品１２の重量によって効果的に押さえ付けることが可能になる。これによって、特に下面が湾曲面となっていることにより不安定な状態で梱包される物品であるカバー１６を、安定した状態で梱包することが可能になる。
【００２５】
なお、本発明は上記実施形態に限定されることなく種々の変更が可能である。例えば、収納板や収納体は、ダンボール箱に物品を梱包する場合のみならず、収納板を露出した状態で店頭に陳列する場合にも用いることもできる、また、ダンボール箱に限らず他の梱包材に梱包される物品を位置決めするべく用いることもできる。また、梱包材に物品を梱包する際に、他の押さえ部材や、中敷き部材等を併用して用いることもできる。さらに、梱包される物品はガーデニングセットの構成物品に限定されることなく、その他の種々の１又は２以上の物品を位置決めして梱包する際に用いることもできる。
【００２６】
また、位置決め保持片の幅広係止部は、Ｔ字形状部分を含む位置決め保持片における矩形形状を備えるものである必要は必ずしも無く、帯状係止部より横幅の広い部分として、三角形、半円形、キノコ形、台形等のその他の形状を有する幅広係止部であっても良い。さらに、図６（ａ）に示すように、位置決め保持片２８の幅広係止部２３ｃの側辺に凹凸部を設けると共に、帯状部分２２ｃの側辺に複数の凸部を設けることにより、抜き開口の側辺に係止凹部を複数形成し、幅広係止部２３ｃを係止凹部に選択的に係止可能にして、係止位置を強固に制御することもできる。さらにまた、図６（ｂ）に示すように、位置決め保持片２９の基端部２１ｃにおける切込み線２０ｃの端部を、帯状部２２ｃの外側にＵ字形状に曲折して延設させるようにすることもでき、これによって物品を位置決め保持する際の位置決め保持片２８の基端部２１ｃにおける引裂きを、効果的に防止することが可能になる。
【図面の簡単な説明】
【００２７】
【図１】本発明の一実施形態に係る収納板を用いて物品を位置決めしつつ梱包材に梱包した状態を例示する断面図である。
【図２】本発明の一実施形態に係る収納板を用いて物品を位置決めしつつ梱包材に梱包する状況を説明する分解側面図である。
【図３】本発明の一実施形態に係る収納板の平面図である。
【図４】（ａ）〜（ｃ）は、本発明の一実施形態に係る収納板を用いて物品を位置決めする状況を例示する平面図である。
【図５】（ａ）は本発明の一実施形態に係る収納板に物品を取り付けた収納体の平面図、（ｂ）は同正面図である。
【図６】（ａ），（ｂ）は、位置決め保持片の他の形状を例示する平面図である。
【符号の説明】
【００２８】
１０  収納板
１１  ダンボール箱（梱包材）
１２  袋詰め物品（物品）
１３  スコップ（物品）
１４  プランター
１５  補助プランター
１６  カバー
１７  収納体
１８  ダンボール板（板紙）
１９  取扱説明書類
２０ａ，２０ｂ，２０ｃ  切込み線
２１ａ，２１ｂ，２１ｃ  基端部
２２ａ，２２ｂ２２ｃ，２２ｄ  帯状部
２３ａ，２３ｂ，２３ｃ  幅広係止部
２４ａ，２４ｂ  Ｔ字形状部分
２５  第１位置決め保持片
２６  第２位置決め保持片
２７ａ  第１抜き開口
２７ｂ  第２抜き開口
２８，２９  位置決め保持片
【図１】
2006137438.tif 000003
【図２】
2006137438.tif 000004
【図３】
2006137438.tif 000005
【図４】
2006137438.tif 000006
【図５】
2006137438.tif 000007
【図６】
2006137438.tif 000008